【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
マークアップ言語で記述された構造化データファイルを含むウェブページをＩＰネットワーク上の情報配信装置から取得し画像表示させるデータ表示装置であって、
データ記憶部と、
外部の入力装置で操作入力された表示指示を受け付ける入力処理部と、
前記表示指示により指定されたウェブページ全体を表す非圧縮形式の画像データまたは圧縮符号化された画像データである表示データが前記データ記憶部に格納済みであるか否かを判定し、当該表示データが前記データ記憶部に格納済みではないと判定したときは、前記情報配信装置にアクセスして前記表示指示で指定されたウェブページの最新版を前記情報配信装置から取得し、当該取得した最新版のウェブページ全体を表す画像データを表示データの最新版として生成し画像表示部に表示させるデータ処理部と
を備え、
前記データ処理部は、
前記表示指示により指定されたウェブページ全体を表す当該表示データが前記データ記憶部に格納済みであると判定されたときは、格納済みの当該表示データを前記データ記憶部から読み出し前記画像表示部に出力して表示させるページ表示処理を実行する表示制御部と、
前記ページ表示処理と並行して、前記表示指示により指定されたウェブページの最新版を前記情報配信装置にアクセスして取得するデータ取得部と、
前記ページ表示処理と並行して、当該取得した最新版のウェブページを解析し、この解析結果に基づいて当該取得した最新版のウェブページ全体を表す画像データを表示データの最新版として生成するデータ構築部と
を含み、
前記表示制御部は、前記画像表示部への出力を、格納済みの当該表示データから前記表示データの最新版に切り替えることを特徴とするデータ表示装置。
【請求項２】
請求項１に記載のデータ表示装置であって、前記入力処理部は、前記ＩＰネットワークにおける前記ウェブページの所在を示す識別子であるウェブアドレスを前記表示指示とともに受け付けることを特徴とするデータ表示装置。
【請求項３】
マークアップ言語で記述された構造化データファイルを含むウェブページをＩＰネットワーク上の情報配信装置から取得し画像表示させるデータ表示装置であって、
データ記憶部と、
前記データ表示装置のシステムの起動に応じて、予め登録されたウェブアドレスにより指定されたウェブページ全体を表す非圧縮形式の画像データまたは圧縮符号化された画像データである表示データが前記データ記憶部に格納済みであるか否かを判定し、当該表示データが前記データ記憶部に格納済みではないと判定したときは、前記情報配信装置にアクセスして当該ウェブアドレスにより指定されたウェブページの最新版を前記情報配信装置から取得するとともに、当該取得した最新版のウェブページ全体を表す画像データを表示データの最新版として生成し画像表示部に表示させるデータ処理部と、
外部の入力装置で操作入力された表示指示を受け付ける入力処理部と
を備え、
前記データ処理部は、
前記表示指示に応じて当該ウェブアドレスにより指定されたウェブページ全体を表す当該表示データが前記データ記憶部に格納済みであると判定されたときは、格納済みの当該表示データを前記データ記憶部から読み出し前記画像表示部に出力して表示させるページ表示処理を実行する表示制御部と、
前記ページ表示処理と並行して、当該ウェブアドレスにより指定されたウェブページの最新版を前記情報配信装置にアクセスして取得するデータ取得部と、
前記ページ表示処理と並行して、当該取得した最新版のウェブページを解析し、この解析結果に基づいて当該取得した最新版のウェブページ全体を表す画像データを表示データの最新版として生成するデータ構築部と、を含み、
前記表示制御部は、前記画像表示部への出力を、格納済みの当該表示データから前記表示データの最新版に切り替えることを特徴とするデータ表示装置。
【請求項４】
請求項１から３のうちのいずれか１項に記載のデータ表示装置であって、前記データ処理部は、前記表示データの最新版を前記データ記憶部に格納することを特徴とするデータ表示装置。
【請求項５】
請求項４に記載のデータ表示装置であって、前記表示制御部は、前記データ記憶部の残り容量が、前記表示データの最新版を蓄積するための必要容量以上であると判定した場合には、前記表示データの最新版を前記データ記憶部の空き領域に格納させ、前記データ記憶部の残り容量が前記必要容量を下回ると判定した場合には、前記データ記憶部に格納済みの表示データをアクセス日時の古い順に削除して、前記表示データの最新版を前記データ記憶部の空き領域に格納させることを特徴とするデータ表示装置。
【請求項６】
請求項２に記載のデータ表示装置であって、前記入力装置における操作入力により指定される可能性を有するウェブアドレスを先読みアドレスとして決定する先読みアドレス決定部をさらに備え、
前記データ取得部は、前記先読みアドレスにより指定されるウェブページを先読みページとして前記情報配信装置から取得し、
前記データ構築部は、当該取得した先読みページを解析し、この解析結果に基づいて当該先読みページ全体を表す非圧縮形式の画像データまたは圧縮符号化された画像データを表示データとして生成し前記データ記憶部に蓄積することを特徴とするデータ表示装置。
【請求項７】
請求項６に記載のデータ表示装置であって、前記複数のウェブアドレスは、前記情報配信装置から指定されたウェブアドレスと、前記入力装置で操作入力されて登録されたウェブアドレスと、前記画像表示部での現在表示対象のウェブページに埋め込まれているウェブアドレスとのうち少なくとも１つのウェブアドレスを含むことを特徴とするデータ表示装置。
【請求項８】
請求項７に記載のデータ表示装置であって、前記先読みアドレス決定部は、各々に優先度が付された複数のウェブアドレスの中から前記優先度の順に前記先読みアドレスを選択することを特徴とするデータ表示装置。
【請求項９】
請求項１から３のうちのいずれか１項に記載のデータ表示装置であって、前記データ取得部は、前記ＩＰネットワークから、前記ウェブページの最新版の最終更新日時を示すデータを取得し、当該最終更新日時が格納済みの当該表示データの生成日時よりも新しい場合、前記ページ表示処理を実行せずに、当該ウェブページの最新版を前記情報配信装置から取得することを特徴とするデータ表示装置。
【請求項１０】
請求項１から３のうちのいずれか１項に記載のデータ表示装置であって、
前記データ取得部は、前記ページ表示処理と並行して、前記情報配信装置にアクセスして前記ウェブページの最新版を取得するとき、当該ウェブページの最新版の中の操作用制御データを前記情報配信装置にアクセスして取得し、
前記表示制御部は、前記データ取得部により取得された当該操作用制御データの解析が完了し、この解析結果と前記ページ表示処理により表示されている表示データとの整合化を実行した後に、前記入力装置を介したウェブページに関する操作入力を有効にする
ことを特徴とするデータ表示装置。
【請求項１１】
請求項１から１０のうちのいずれか１項に記載のデータ表示装置であって、
コンピュータプログラムまたは実行形式ファイルが格納されたメモリと、
前記メモリからコンピュータプログラムまたは実行形式ファイルをロードし実行することによって、前記データ取得部及び前記データ構築部を含む機能ブロック群をウェブブラウザとして構成するマイクロプロセッサと
を備え、
前記ページ表示処理の開始後、前記マイクロプロセッサは前記コンピュータプログラムまたは実行形式ファイルを前記メモリからロードし実行する
ことを特徴とするデータ表示装置。
【請求項１２】
請求項１から１１のうちのいずれか１項に記載のデータ表示装置であって、前記データ記憶部には、前記表示データとともに前記ウェブページの解析に必要な全ての部品データが蓄積されることを特徴とするデータ表示装置。
【請求項１３】
請求項１から１２のうちのいずれか１項に記載のデータ表示装置であって、前記情報配信装置は、前記ＩＰネットワークである広域ネットワークに接続された情報配信サーバであることを特徴とするデータ表示装置。
【請求項１４】
請求項１から１３のうちのいずれか１項に記載のデータ表示装置であって、デジタル放送信号を受信する放送受信部をさらに備え、
前記表示制御部は、前記放送受信部によって受信されたデジタル放送信号から映像信号を生成し前記画像表示部に表示させることを特徴とするデータ表示装置。
【請求項１５】
マークアップ言語で記述された構造化データファイルを含むウェブページをＩＰネットワーク上の情報配信装置から取得し画像表示させるデータ表示方法であって、
（ａ）外部の入力装置で操作入力された表示指示を受け付けるステップと、
（ｂ）当該表示指示により指定されたウェブページ全体を表す非圧縮形式の画像データまたは圧縮符号化された画像データである表示データがデータ記憶部に格納済みであるか否かを判定する判定ステップと、
（ｃ）前記判定ステップにおいて当該表示データが前記データ記憶部に格納済みではないと判定されたときは、前記情報配信装置にアクセスして当該表示指示で指定されたウェブページの最新版を前記情報配信装置から取得し、当該取得した最新版のウェブページ全体を表す画像データを表示データの最新版として生成し画像表示部に表示させるステップと、
（ｄ）前記判定ステップにおいて当該表示指示により指定されるウェブページ全体を表す当該表示データが前記データ記憶部に格納済みであると判定されたときは、格納済みの当該表示データを前記データ記憶部から読み出し前記画像表示部に出力して表示させるページ表示処理を実行するステップと、
（ｅ）前記ページ表示処理と並行して、当該表示指示により指定されたウェブページの最新版を前記情報配信装置にアクセスして取得するデータ取得ステップと、
（ｆ）前記ページ表示処理と並行して、前記データ取得ステップで取得された当該最新版のウェブページを解析し、この解析結果に基づいて当該最新版のウェブページ全体を表す画像データを表示データの最新版として生成するデータ構築ステップと、
（ｇ）前記画像表示部への出力を、格納済みの当該表示データから、前記データ構築ステップで生成された当該表示データの最新版に切り替える表示制御ステップと、
を備えることを特徴とするデータ表示方法。
【請求項１６】
マークアップ言語で記述された構造化データファイルを含むウェブページをＩＰネットワーク上の情報配信装置から取得し画像表示させるデータ表示処理を実行するデータ表示方法であって、
（ａ）前記データ表示処理を実行するシステムの起動に応じて、予め登録されたウェブアドレスにより指定されたウェブページ全体を表す非圧縮形式の画像データまたは圧縮符号化された画像データである表示データがデータ記憶装置に格納済みであるか否かを判定する判定ステップと、
（ｂ）前記判定ステップにおいて当該表示データが前記データ記憶部に格納済みではないと判定されたときは、前記情報配信装置にアクセスして当該ウェブアドレスにより指定されたウェブページの最新版を前記情報配信装置から取得するとともに、当該取得した最新版のウェブページ全体を表す画像データを表示データの最新版として生成し画像表示部に表示させるステップと、
（ｃ）前記判定ステップにおいて当該ウェブアドレスにより指定されたウェブページを表す当該表示データが前記データ記憶部に格納済みであると判定されたときは、格納済みの当該表示データを前記データ記憶部から読み出し前記画像表示部に出力して表示させるページ表示処理を実行するステップと、
（ｄ）前記ページ表示処理と並行して、当該ウェブアドレスにより指定されたウェブページの最新版を前記情報配信装置にアクセスして取得するデータ取得ステップと、
（ｅ）前記ページ表示処理と並行して、当該取得した最新版のウェブページを解析し、この解析結果に基づいて当該取得した最新版のウェブページ全体を表す画像データを表示データの最新版として生成するデータ構築ステップと、
（ｆ）前記画像表示部への出力を、格納済みの当該表示データから、前記データ構築ステップで生成された当該表示データの最新版に切り替える表示制御ステップと
を備えることを特徴とするデータ表示装置。
【請求項１７】
マークアップ言語で記述された構造化データファイルを含むウェブページをＩＰネットワーク上の情報配信装置から取得し画像表示させるデータ表示処理をプロセッサに実行させるコンピュータプログラムであって、
該コンピュータプログラムは前記プロセッサによりメモリから読み出されて実行されるものであり、
前記データ表示処理は、
（ａ）外部の入力装置で操作入力された表示指示を受け付ける処理と、
（ｂ）当該表示指示により指定されたウェブページ全体を表す非圧縮形式の画像データまたは圧縮符号化された画像データである表示データがデータ記憶部に格納済みであるか否かを判定する判定処理と、
（ｃ）前記判定ステップにおいて当該表示データが前記データ記憶部に格納済みではないと判定されたときは、前記情報配信装置にアクセスして当該表示指示で指定されたウェブページの最新版を前記情報配信装置から取得し、当該取得した最新版のウェブページ全体を表す画像データを表示データの最新版として生成し画像表示部に表示させる処理と、
（ｄ）前記判定処理において当該表示指示により指定されたウェブページ全体を表す当該表示データが前記データ記憶部に格納済みであると判定されたときは、格納済みの当該表示データを前記データ記憶部から読み出し前記画像表示部に出力して表示させるページ表示処理と、
（ｅ）前記ページ表示処理と並行して、当該表示指示により指定されたウェブページの最新版を前記情報配信装置にアクセスして取得するデータ取得処理と、
（ｆ）前記ページ表示処理と並行して、前記データ取得処理で取得された当該最新版のウェブページを解析し、この解析結果に基づいて当該最新版のウェブページ全体を表す画像データを表示データの最新版として生成するデータ構築処理と、
（ｇ）前記画像表示部への出力を、格納済みの当該表示データから、前記データ構築処理で生成された当該表示データの最新版に切り替える表示制御処理と
を含むことを特徴とするコンピュータプログラム。
【請求項１８】
マークアップ言語で記述された構造化データファイルを含むウェブページをＩＰネットワーク上の情報配信装置から取得し画像表示させるデータ表示処理をプロセッサに実行させるコンピュータプログラムであって、
該コンピュータプログラムは前記プロセッサによりメモリから読み出されて実行されるものであり、
前記データ表示処理は、
（ａ）前記プロセッサを含むシステムの起動に応じて、予め登録されたウェブアドレスにより指定されたウェブページ全体を表す非圧縮形式の画像データまたは圧縮符号化された画像データである表示データがデータ記憶装置に格納済みであるか否かを判定する判定処理と、
（ｂ）前記判定ステップにおいて当該表示データが前記データ記憶部に格納済みではないと判定されたときは、前記情報配信装置にアクセスして当該ウェブアドレスにより指定されたウェブページの最新版を前記情報配信装置から取得するとともに、当該取得した最新版のウェブページ全体を表す画像データを表示データの最新版として生成し画像表示部に表示させる処理と、
（ｃ）前記判定ステップにおいて当該ウェブアドレスにより指定されたウェブページ全体を表す当該表示データが前記データ記憶部に格納済みであると判定されたときは、格納済みの当該表示データを前記データ記憶部から読み出し前記画像表示部に出力して表示させるページ表示処理と、
（ｄ）前記ページ表示処理と並行して、当該ウェブアドレスにより指定されたウェブページの最新版を前記情報配信装置にアクセスして取得するデータ取得処理と、
（ｅ）前記ページ表示処理と並行して、当該取得した最新版のウェブページを解析し、この解析結果に基づいて当該取得した最新版のウェブページ全体を表す画像データを表示データの最新版として生成するデータ構築処理と、
（ｆ）前記画像表示部への出力を、格納済みの当該表示データから、前記データ構築処理で生成された当該表示データの最新版に切り替える表示制御処理と
を含むことを特徴とするコンピュータプログラム。
【手続補正２】
【補正対象書類名】明細書
【補正対象項目名】０００８
【補正方法】変更
【補正の内容】
【０００８】
本発明の第１の態様によるデータ表示装置は、マークアップ言語で記述された構造化データファイルを含むウェブページをＩＰネットワーク上の情報配信装置から取得し画像表示させるデータ表示装置であって、データ記憶部と、外部の入力装置で操作入力された表示指示を受け付ける入力処理部と、前記表示指示により指定されたウェブページ全体を表す非圧縮形式の画像データまたは圧縮符号化された画像データである表示データが前記データ記憶部に格納済みであるか否かを判定し、当該表示データが前記データ記憶部に格納済みではないと判定したときは、前記情報配信装置にアクセスして前記表示指示で指定されたウェブページの最新版を前記情報配信装置から取得し、当該取得した最新版のウェブページ全体を表す画像データを表示データの最新版として生成し画像表示部に表示させるデータ処理部とを備え、前記データ処理部は、前記表示指示により指定されたウェブページ全体を表す当該表示データが前記データ記憶部に格納済みであると判定されたときは、格納済みの当該表示データを前記データ記憶部から読み出し画像表示部に出力して表示させるページ表示処理を実行する表示制御部と、前記ページ表示処理と並行して、前記表示指示により指定されたウェブページの最新版を前記情報配信装置にアクセスして取得するデータ取得部と、前記ページ表示処理と並行して、当該取得した最新版のウェブページを解析し、この解析結果に基づいて当該取得した最新版のウェブページ全体を表す画像データを表示データの最新版として生成するデータ構築部とを含み、前記表示制御部は、前記画像表示部への出力を、格納済みの当該表示データから前記表示データの最新版に切り替えることを特徴とする。
【手続補正３】
【補正対象書類名】明細書
【補正対象項目名】０００９
【補正方法】変更
【補正の内容】
【０００９】
本発明の第２の態様によるデータ表示装置は、マークアップ言語で記述された構造化データファイルを含むウェブページをＩＰネットワーク上の情報配信装置から取得し画像表示させるデータ表示装置であって、データ記憶部と、前記データ表示装置のシステムの起動に応じて、予め登録されたウェブアドレスにより指定されたウェブページ全体を表す非圧縮形式の画像データまたは圧縮符号化された画像データである表示データが前記データ記憶部に格納済みであるか否かを判定し、当該表示データが前記データ記憶部に格納済みではないと判定したときは、前記情報配信装置にアクセスして当該ウェブアドレスにより指定されたウェブページの最新版を前記情報配信装置から取得するとともに、当該取得した最新版のウェブページ全体を表す画像データを表示データの最新版として生成し画像表示部に表示させるデータ処理部と、外部の入力装置で操作入力された表示指示を受け付ける入力処理部とを備え、前記データ処理部は、前記表示指示に応じて当該ウェブアドレスにより指定されたウェブページ全体を表す当該表示データが前記データ記憶部に格納済みであると判定されたときは、格納済みの当該表示データを前記データ記憶部から読み出し前記画像表示部に出力して表示させるページ表示処理を実行する表示制御部と、前記ページ表示処理と並行して、当該ウェブアドレスにより指定されたウェブページの最新版を前記情報配信装置にアクセスして取得するデータ取得部と、前記ページ表示処理と並行して、当該取得した最新版のウェブページを解析し、この解析結果に基づいて当該取得した最新版のウェブページ全体を表す画像データを表示データの最新版として生成するデータ構築部と、を含み、前記表示制御部は、前記画像表示部への出力を、格納済みの当該表示データから前記表示データの最新版に切り替えることを特徴とする。
【手続補正４】
【補正対象書類名】明細書
【補正対象項目名】００１０
【補正方法】変更
【補正の内容】
【００１０】
本発明の第３の態様によるデータ表示方法は、マークアップ言語で記述された構造化データファイルを含むウェブページをＩＰネットワーク上の情報配信装置から取得し画像表示させるデータ表示方法であって、（ａ）外部の入力装置で操作入力された表示指示を受け付けるステップと、（ｂ）当該表示指示により指定されたウェブページ全体を表す非圧縮形式の画像データまたは圧縮符号化された画像データである表示データがデータ記憶部に格納済みであるか否かを判定する判定ステップと、（ｃ）前記判定ステップにおいて当該表示データが前記データ記憶部に格納済みではないと判定されたときは、前記情報配信装置にアクセスして当該表示指示で指定されたウェブページの最新版を前記情報配信装置から取得し、当該取得した最新版のウェブページ全体を表す画像データを表示データの最新版として生成し画像表示部に表示させるステップと、（ｄ）前記判定ステップにおいて当該表示指示により指定されるウェブページ全体を表す当該表示データが前記データ記憶部に格納済みであると判定されたときは、格納済みの当該表示データを前記データ記憶部から読み出し前記画像表示部に出力して表示させるページ表示処理を実行するステップと、（ｅ）前記ページ表示処理と並行して、当該表示指示により指定されたウェブページの最新版を前記情報配信装置にアクセスして取得するデータ取得ステップと、（ｆ）前記ページ表示処理と並行して、前記データ取得ステップで取得された当該最新版のウェブページを解析し、この解析結果に基づいて当該最新版のウェブページ全体を表す画像データを表示データの最新版として生成するデータ構築ステップと、（ｇ）前記画像表示部への出力を、格納済みの当該表示データから、前記データ構築ステップで生成された当該表示データの最新版に切り替える表示制御ステップと、を備えることを特徴とする。
【手続補正５】
【補正対象書類名】明細書
【補正対象項目名】００１１
【補正方法】変更
【補正の内容】
【００１１】
本発明の第４の態様によるデータ表示方法は、マークアップ言語で記述された構造化データファイルを含むウェブページをＩＰネットワーク上の情報配信装置から取得し画像表示させるデータ表示処理を実行するデータ表示方法であって、（ａ）前記データ表示処理を実行するシステムの起動に応じて、予め登録されたウェブアドレスにより指定されたウェブページ全体を表す非圧縮形式の画像データまたは圧縮符号化された画像データである表示データがデータ記憶装置に格納済みであるか否かを判定する判定ステップと、（ｂ）前記判定ステップにおいて当該表示データが前記データ記憶部に格納済みではないと判定されたときは、前記情報配信装置にアクセスして当該ウェブアドレスにより指定されたウェブページの最新版を前記情報配信装置から取得するとともに、当該取得した最新版のウェブページ全体を表す画像データを表示データの最新版として生成し画像表示部に表示させるステップと、（ｃ）前記判定ステップにおいて当該ウェブアドレスにより指定されたウェブページを表す当該表示データが前記データ記憶部に格納済みであると判定されたときは、格納済みの当該表示データを前記データ記憶部から読み出し前記画像表示部に出力して表示させるページ表示処理を実行するステップと、（ｄ）前記ページ表示処理と並行して、当該ウェブアドレスにより指定されたウェブページの最新版を前記情報配信装置にアクセスして取得するデータ取得ステップと、（ｅ）前記ページ表示処理と並行して、当該取得した最新版のウェブページを解析し、この解析結果に基づいて当該取得した最新版のウェブページ全体を表す画像データを表示データの最新版として生成するデータ構築ステップと、（ｆ）前記画像表示部への出力を、格納済みの当該表示データから、前記データ構築ステップで生成された当該表示データの最新版に切り替える表示制御ステップとを備えることを特徴とする。
【手続補正６】
【補正対象書類名】明細書
【補正対象項目名】００１２
【補正方法】変更
【補正の内容】
【００１２】
本発明の第５の態様によるコンピュータプログラムは、マークアップ言語で記述された構造化データファイルを含むウェブページをＩＰネットワーク上の情報配信装置から取得し画像表示させるデータ表示処理をプロセッサに実行させるコンピュータプログラムであって、該コンピュータプログラムは前記プロセッサによりメモリから読み出されて実行されるものであり、前記データ表示処理は、（ａ）外部の入力装置で操作入力された表示指示を受け付ける処理と、（ｂ）当該表示指示により指定されたウェブページ全体を表す非圧縮形式の画像データまたは圧縮符号化された画像データである表示データがデータ記憶部に格納済みであるか否かを判定する判定処理と、（ｃ）前記判定ステップにおいて当該表示データが前記データ記憶部に格納済みではないと判定されたときは、前記情報配信装置にアクセスして当該表示指示で指定されたウェブページの最新版を前記情報配信装置から取得し、当該取得した最新版のウェブページ全体を表す画像データを表示データの最新版として生成し画像表示部に表示させる処理と、（ｄ）前記判定処理において当該表示指示により指定されたウェブページ全体を表す当該表示データが前記データ記憶部に格納済みであると判定されたときは、格納済みの当該表示データを前記データ記憶部から読み出し前記画像表示部に出力して表示させるページ表示処理と、（ｅ）前記ページ表示処理と並行して、当該表示指示により指定されたウェブページの最新版を前記情報配信装置にアクセスして取得するデータ取得処理と、（ｆ）前記ページ表示処理と並行して、前記データ取得処理で取得された当該最新版のウェブページを解析し、この解析結果に基づいて当該最新版のウェブページ全体を表す画像データを表示データの最新版として生成するデータ構築処理と、（ｇ）前記画像表示部への出力を、格納済みの当該表示データから、前記データ構築処理で生成された当該表示データの最新版に切り替える表示制御処理とを含むことを特徴とする。
【手続補正７】
【補正対象書類名】明細書
【補正対象項目名】００１３
【補正方法】変更
【補正の内容】
【００１３】
本発明の第６の態様によるコンピュータプログラムは、マークアップ言語で記述された構造化データファイルを含むウェブページをＩＰネットワーク上の情報配信装置から取得し画像表示させるデータ表示処理をプロセッサに実行させるコンピュータプログラムであって、該コンピュータプログラムは前記プロセッサによりメモリから読み出されて実行されるものであり、前記データ表示処理は、（ａ）前記プロセッサを含むシステムの起動に応じて、予め登録されたウェブアドレスにより指定されたウェブページ全体を表す非圧縮形式の画像データまたは圧縮符号化された画像データである表示データがデータ記憶装置に格納済みであるか否かを判定する判定処理と、（ｂ）前記判定ステップにおいて当該表示データが前記データ記憶部に格納済みではないと判定されたときは、前記情報配信装置にアクセスして当該ウェブアドレスにより指定されたウェブページの最新版を前記情報配信装置から取得するとともに、当該取得した最新版のウェブページ全体を表す画像データを表示データの最新版として生成し画像表示部に表示させる処理と、（ｃ）前記判定ステップにおいて当該ウェブアドレスにより指定されたウェブページ全体を表す当該表示データが前記データ記憶部に格納済みであると判定されたときは、格納済みの当該表示データを前記データ記憶部から読み出し前記画像表示部に出力して表示させるページ表示処理と、（ｄ）前記ページ表示処理と並行して、当該ウェブアドレスにより指定されたウェブページの最新版を前記情報配信装置にアクセスして取得するデータ取得処理と、（ｅ）前記ページ表示処理と並行して、当該取得した最新版のウェブページを解析し、この解析結果に基づいて当該取得した最新版のウェブページ全体を表す画像データを表示データの最新版として生成するデータ構築処理と、（ｆ）前記画像表示部への出力を、格納済みの当該表示データから、前記データ構築処理で生成された当該表示データの最新版に切り替える表示制御処理とを含むことを特徴とする。